(57)【要約】【課題】一種類の型材で上下に複数または水平に複数の美観上優れた棚受け等を構築することができるハンギングレールを提供すること。【解決手段】一種類の型材で上下に複数または水平に複数のユニット棚等のハンギングシステムを構築することができるハンギングレールであって、壁面またはボードに装着される長尺の基板の一面側に互いに平行な２つの水平片を形成し、各水平片には被係止物の一部が係止できる垂直片をそれぞれ形成すると共に、前記上下の水平片には被係止物の両側端部が嵌合係止できる複数のスロットをそれぞれ形成したことを特徴とする。【選択図】図１
2012085988.tif 000002
【特許請求の範囲】
【請求項１】
一種類の型材で上下に複数または水平に複数のユニット棚等のハンギングシステムを構築することができるハンギングレールであって、壁面またはボードに装着される長尺の基板の一面側に互いに平行な２つの水平片を形成し、各水平片には被係止物の一部が係止できる垂直片をそれぞれ形成すると共に、前記上下の水平片には被係止物の両側端部が嵌合係止できる複数のスロットをそれぞれ形成したことを特徴とするハンギングレール。
【発明の詳細な説明】
【技術分野】
【０００１】  本発明は、一種類の型材で多段または多列の棚システム等を構築することができるハンギングレールに関するものである。
【背景技術】
【０００２】
【特許文献１】  特開２００２−３６４１０３号公報
【特許文献２】  特許第３７５７３７６号公報
【特許文献３】  特開２００２−７８５５２号公報
【発明の開示】
【発明が解決しようとする課題】
【０００３】  各種のフック、小物載置棚等の被係止物を係止保持させるようにするためのハンギングレールとして特開２００２−３６４１０３号公報、特許第３７５７３７６号公報等に記載されるものが多数ある。【０００４】  このようなレールは、長尺のものを壁面またはボードに水平状態に取り付けて各種のフック、小物載置棚等の被係止物を簡単に係止保持させるようにすることができ、特に、装飾性の高い棚受金具の係止保持用として賞用されている。【０００５】  また、このようなレールにあっては、水平状態の使用に限定され、垂直状態で使用する場合には所謂棚柱と称する型材を別途に用意する必要があり、上下に複数または水平に複数の棚受け等のハンギングシステムを構築するためには少なくとも二種類の型材が必要であった。【０００６】  例えば、壁面或いは壁面ボードに上下に複数または水平に複数の棚システムを構築する場合、ハンギングレールを壁面或いは壁面ボードに水平状態、垂直状態で取り付ける必要上、予めそれぞれ水平状態、垂直状態で使用できる２種類の型材を製造保管しておき、棚の施行現場に搬入して選択使用しなければならず、型材の管理並びに運送が複雑となるという問題点があった。【０００７】  また、一般的に棚柱といえば特開２００２−７８５５２号公報に記載されるように、フック等を係止するための複数のスロットが正面から見え、高級感のある棚受金具から成る棚システムに採用するには美観的な問題点もあった。
【発明の目的】
【０００８】  本発明は、一種類の型材で上下に複数または水平に複数の美観上優れた棚受け等を構築することができるハンギングレールを提供することを目的とするものである。
【課題を解決するための手段】
【０００９】  本発明に係るハンギングレールは、一種類の型材で上下に複数または水平に複数のユニット棚等のハンギングシステムを構築することができるハンギングレールであって、壁面またはボードに装着される長尺の基板の一面側に互いに平行な２つの水平片を形成し、各水平片には被係止物の一部が係止できる垂直片をそれぞれ形成すると共に、前記上下の水平片には被係止物の両側端部が嵌合係止できる複数のスロットをそれぞれ形成したことを特徴とするものである。
【発明の作用】
【００１０】  ハンギングレールの平行な水平片には被係止物の上下端部が係止できる垂直片を、上下の水平片には別の被係止物の側端部が嵌合係止できる複数のスロットをそれぞれ形成してあるので、一種類のハンギングレールを水平状態、垂直状態で使用することができる。
【発明を実施するための形態】
【００１１】  本発明ハンギングレールの実施の形態を実施例について具体的に説明する。
【実施例】
【００１２】  図１は、本発明ハンギングレールの水平使用状態における斜視図斜視図、図２は、同ハンギングレールの壁面への取付状態を表す縦断側面図、図３は、同ハンギングレールの垂直使用状態における斜視図、図４は、同ハンギングレールの壁面への取付状態を表す横断平面図、図５は、同ハンギングレールの垂直使用状態での棚受金具を装着する場合の斜視図、図６は、同壁面への取付状態を表す横断平面図、複数の水平使用のハンギングレールに棚受金具を装着する場合の斜視図、図７は、複数の水平使用のハンギングレールに棚受金具を装着する場合の斜視図、図８は、複数の垂直使用のハンギングレールに棚受金具を装着する場合の斜視図である。【００１３】  図において、１は、ハンギングシステムを構築するためのハンギングレールであって、このハンギングレール１は、
（１）壁面またはボードに装着される長尺の基板２の一面側に互いに平行な２つの水平片３、３が形成され、
（２）各水平片３には被係止物にある取付鉤片の一部が係止できる垂直片４、４がそれぞれ形成され、
（３）前記上下の水平片３、３には被係止物にある取付板の両側端部が嵌合係止できる複数のスロット３−１・・・３−１をそれぞれ形成したものである。【００１４】  尚、ハンギングレール１の垂直片４、４は、図２のようにレール１をアンカーボルトで壁面に取り付ける際に、壁パネルを壁面に押し付けるようにフランジ部分が形成されており、壁パネルにフランジ部の厚みだけの段部を形成することによって垂直片４、４表面と壁パネル表面が面一となるように貼着してある。【００１５】  ここで、被係止物とは、フック５、トレイ６、棚受金具７等のハンギングレール１に吊り下げられるアクセサリーのことを云うもので、被係止物にはハンギングレール１の使用状態に応じて取付鉤片または取付板を選択して使用するもので、水平使用の場合は取付鉤片、垂直使用の場合は取付板がある被係止物を使用するものである。【００１６】  次に、本発明ハンギングレールの具体的用法を説明する。【００１７】  本発明ハンギングレールを水平状態で使用する場合は、図１、図２のようにフック５の取付鉤片５−１をレール１の垂直片４、４間の隙間ａに差し入れて取付鉤片５−１の一部を垂直片４、４に係止させて取り付ける。【００１８】  また、本発明ハンギングレールを垂直状態で使用する場合は、図３、図４のようにフック５を固定した板状の取付板５−２をレール１の垂直片４、４間の隙間ａに差し入れ、この場合垂直状態となっている水平片３、３に形成されたスロット３−１、３−１部分との間で予め寸法設定し、且、回転可能にしておいた取付板５−２を回転させてスロット３−１、３−１に取付板５−２の両端を嵌合係止させて取り付ける。【００１９】  次に、上記ハンギングレールを使用してトレイ６または棚受金具７によるユニットを構築する場合について説明する。【００２０】  本発明ハンギングレールを水平状態で使用する場合は、図１、図２の場合と同じく壁面またはボードにハンギングレール１を水平状態に敷設し、トレイ６または棚受金具７に一体形成された前記フック５の場合と同様な取付鉤片をレール１の垂直片４、４間の隙間ａに差し入れて取付鉤片の一部を垂直片４、４に係止させて吊り下げることによってトレイまたは棚ユニットを構築する。【００２１】  本発明ハンギングレールを垂直状態で使用する場合は、図５、図６のように、トレイ６の背板部分に形成された凸型の孔６−１に嵌合する膨出部８−１をスペーサー８−２を介して取着した取付板８をレール１の垂直片４、４間の隙間ａに差し入れ、この場合垂直状態となっている水平片３、３に形成されたスロット３−１、３−１部分との間で予め寸法設定し、且、回転可能にしておいた取付板８を回転させてスロット３−１、３−１に取付板８の両端を嵌合係止させて取り付け、トレイ６の凸型の孔６−１の広幅部分を膨出部８−１に嵌合させた後、トレイ６を引き下げてスペーサー８−２に同凸型の孔６−１の狭幅部分を嵌合させてトレイ６をレール１に取り付ける。【００２２】  図示しないが、棚受金具７の場合も上記と全く同じ方法により取り付けるものである。【００２３】  而して、多段の棚ユニットを構築する一例として図７、図８を挙示するが、図８の垂直使用のハンギングレールの場合、棚受金���７が広幅のときには図示のように２本以上のハンギングレールを配置すればよいものである。
【発明の効果】
【００２４】  以上述べた如く、本発明に係るハンギングレールによれば、壁面またはボードに装着される長尺の基板の一面側に互いに平行な２つの水平片を形成し、各水平片には被係止物の一部が係止できる垂直片をそれぞれ形成すると共に、前記上下の水平片には被係止物の両側端部が嵌合係止できる複数のスロットをそれぞれ形成したもので、ハンギングレールの平行な水平片には被係止物の上下端部が係止できる垂直片を、上下の水平片には別の被係止物の側端部が嵌合係止できる複数のスロットをそれぞれ形成してあるので、一種類のハンギングレールを水平状態、垂直状態で使用することができ、一種類の型材で上下に複数または水平に複数の美観上優れた棚システム等を構築することができるハンギングレールを提供することができるものである。
【図面の簡単な説明】
【００２５】
【図１】  本発明ハンギングレールの水平使用状態における斜視図斜視図である。
【図２】  同ハンギングレールの壁面への取付状態を表す縦断側面図である。
【図３】  同ハンギングレールの垂直使用状態における斜視図である。
【図４】  同ハンギングレールの壁面への取付状態を表す横断平面図である。
【図５】  同ハンギングレールの垂直使用状態での棚受金具を装着する場合の斜視図である。
【図６】  同壁面への取付状態を表す横断平面図である。
【図７】  複数の水平使用のハンギングレールに棚受金具を装着する場合の斜視図である。
【図８】  複数の垂直使用のハンギングレールに棚受金具を装着する場合の斜視図である。
【符号の説明】
【００２６】１          ハンギングレール
２          基板
３          水平片
３−１      スロット
４          垂直片
【図１】
2012085988.tif 000003
【図２】
2012085988.tif 000004
【図３】
2012085988.tif 000005
【図４】
2012085988.tif 000006
【図５】
2012085988.tif 000007
【図６】
2012085988.tif 000008
【図７】
2012085988.tif 000009
【図８】
2012085988.tif 000010